(57)【要約】【課題】各縮小画のピントやブレを容易に確認することができる画像処理装置を提供する。【解決手段】撮像装置での連写にて得られた複数の静止画をそれぞれ縮小して複数の縮小画を作成し、その複数の縮小画を単一の静止画に合成して得られた単一の静止画用画像ファイルを受けて、静止画用画像ファイルより複数の縮小画を１枚ずつ切り出して前記連写時の撮影順にモニターに表示させる機能を有する画像処理装置において、モニターに表示している画像の一部を拡大して表示する機能（機能実現手段はＣＰＵ１２１）を有する。【選択図】      図１
2004350146.tif 000002
【特許請求の範囲】
【請求項１】
撮像装置での連写にて得られた複数の静止画をそれぞれ縮小して複数の縮小画を作成し、その複数の縮小画を単一の静止画に合成して得られた単一の静止画用画像ファイルを受けて、静止画用画像ファイルより複数の縮小画を１枚ずつ切り出して前記連写時の撮影順にモニターに表示させる機能を有する画像処理装置において、モニターに表示している画像の一部を拡大して表示する機能を有することを特徴とする画像処理装置。
【請求項２】
請求項１記載の画像処理装置において、モニターに表示している画像の一部を拡大表示中、次もしくは前の画像を表示させる操作をしたとき、次もしくは前の画像も、操作前に拡大している位置、拡大率で拡大表示する機能を有することを特徴とする画像処理装置。
【請求項３】
請求項１記載の画像処理装置において、拡大画像はモニターに表示している画像を等分に分割した画像の１つであることを特徴とする画像処理装置。
【請求項４】
請求項２記載の画像処理装置において、次もしくは前の画像を表示させる操作と拡大位置を選択する操作を、十字に配置されたキーで行うことを特徴とする画像処理装置。
【発明の詳細な説明】
【０００１】
【発明の属する技術分野】
本発明は、撮像装置での連写にて得られた複数の静止画をそれぞれ縮小して複数の縮小画を作成し、その複数の縮小画を単一の静止画に合成して得られた単一の静止画用画像ファイルを受けて、静止画用画像ファイルより複数の縮小画を１枚ずつ切り出して前記連写時の撮影順にモニターに表示させる機能を有する画像処理装置に関するものである。
【０００２】
【従来の技術】
上記の機能を有する画像処理装置を備えたデジタルカメラに関連する従来技術として、連写可能最大駒数を入力し、入力枚数の逆数分の１になるように第一圧縮してエリアへ記録したあとに、第二圧縮で、記録媒体に記録するようにしたデジタル電子スチル・カメラ及びその制御方法が存在する（特許文献１参照）。
また、複数の縮小画像を単一の静止画に合成したファイルを受けて、縮小画像を、一枚ずつ切り出して、連写時の撮影順にモニターに表示させる画像処理装置もある（特許文献２参照）。
【特許文献１】特許第２７７５５４２号
【特許文献２】特許第３２５３５３８号
【０００３】
【発明が解決しようとする課題】
しかし、従来の画像処理装置では、撮像装置での連写にて得られた複数の静止画を、それぞれ縮小して作成された複数の縮小画を単一の静止画に合成した単一の静止画用画像ファイルより、複数の縮小画を１枚ずつ切り出して連写時の撮影順にモニターに表示させることにより、各縮小画を擬似動画として見ることはできたが、ピントやブレを容易に確認することができなかった。
本発明は、各縮小画のピントやブレを容易に確認することができる画像処理装置を提供することを目的とする。
【０００４】
【課題を解決するための手段】
上記目的を達成するために、請求項１記載の発明は、撮像装置での連写にて得られた複数の静止画をそれぞれ縮小して複数の縮小画を作成し、その複数の縮小画を単一の静止画に合成して得られた単一の静止画用画像ファイルを受けて、静止画用画像ファイルより複数の縮小画を１枚ずつ切り出して前記連写時の撮影順にモニターに表示させる機能を有する画像処理装置において、モニターに表示している画像の一部を拡大して表示する機能を有する画像処理装置を最も主要な特徴とする。
請求項２記載の発明は、請求項１記載の画像処理装置において、モニターに表示している画像の一部を拡大表示中、次もしくは前の画像を表示させる操作をしたとき、次もしくは前の画像も、操作前に拡大している位置、拡大率で拡大表示する機能を有する画像処理装置を主要な特徴とする。
請求項３記載の発明は、請求項１記載の画像処理装置において、拡大画像はモニターに表示している画像を等分に分割した画像の１つである画像処理装置を主要な特徴とする。
請求項４記載の発明は、請求項２記載の画像処理装置において、次もしくは前の画像を表示させる操作と拡大位置を選択する操作を、十字に配置されたキーで行う画像処理装置を主要な特徴とする。
【０００５】
【発明の実施の形態】
以下に添付図面を参照して、この発明に係る好適な実施の形態を詳細に説明する。図１は本発明の実施の形態に係るオートフォーカス装置を適用したデジタルカメラの構成図である。同図において、１００はデジタルカメラを示しており、デジタルカメラ１００は、レンズ系１０１、絞り・フィルター部等を含むメカ機構１０２、ＣＣＤ１０３、ＣＤＳ回路１０４、可変利得増幅器（ＡＧＣアンプ）１０５、Ａ／Ｄ変換器１０６、ＩＰＰ１０７、ＤＣＴ１０８、コーダー１０９、ＭＣＣ１１０、ＤＲＡＭ１１１、ＰＣカードインタフェース１１２、ＣＰＵ１２１、表示部１２２、操作部１２３、ＳＧ（制御信号生成）部１２６、ストロボ装置１２７、バッテリ１２８、ＤＣ−ＤＣコンバータ１２９、ＥＥＰＲＯＭ１３０、フォーカスドライバ１３１、パルスモータ１３２、ズームドライバ１３３、パルスモータ１３４、モータドライバ１３５を備えて構成されている。また、ＰＣカードインタフェース１１２を介して着脱可能なＰＣカード１５０が接続されている。
レンズユニットは、レンズ系１０１、絞り・フィルター部等を含むメカ機構１０２からなり、メカ機構１０２のメカニカルシャッタは２つのフィールドの同時露光を行う。レンズ系１０１は、例えば、バリフォーカルレンズからなり、フォーカスレンズ系１０１ａとズームレンズ系１０１ｂとで構成されている。
フォーカスドライバ１３１は、ＣＰＵ１２１から供給される制御信号に従って、パルスモータ１３２を駆動して、フォーカスレンズ系１０１ａを光軸方向に移動させる。ズームドライバ１３３は、ＣＰＵ１２１から供給される制御信号に従って、パルスモータ１３４を駆動して、ズームレンズ系１０１ｂを光軸方向に移動させる。また、モータドライバ１３５は、ＣＰＵ１２１から供給される制御信号に従ってメカ機構１０２を駆動し、例えば、絞りの絞り値を設定する。
【０００６】
ＣＣＤ（電荷結合素子）１０３は、レンズユニットを介して入力した映像を電気信号（アナログ画像データ）に変換する。ＣＤＳ（相関２重サンプリング）回路１０４は、ＣＣＤ型撮像素子に対する低雑音化のための回路である。
また、ＡＧＣアンプ１０５は、ＣＤＳ回路１０４で相関２重サンプリングされた信号のレベルを補正する。さらにＡ／Ｄ変換器１０６は、ＡＧＣアンプ１０５を介して入力したＣＣＤ１０３からのアナログ画像データをデジタル画像データに変換する。すなわち、ＣＣＤ１０３の出力信号は、ＣＤＳ回路１０４およびＡＧＣアンプ１０５を介し、またＡ／Ｄ変換器１０６により、最適なサンプリング周波数（例えば、ＮＴＳＣ信号のサブキャリア周波数の整数倍）にてデジタル信号に変換される。
また、デジタル信号処理部であるＩＰＰ（Ｉｍａｇｅ  Ｐｒｅ−Ｐｒｏｃｅｓｓｏｒ）１０７、ＤＣＴ（Ｄｉｓｃｒｅｔｅ  Ｃｏｓｉｎｅ  Ｔｒａｎｓｆｏｒｍ）１０８、およびコーダー（Ｈｕｆｆｍａｎ  Ｅｎｃｏｄｅｒ／Ｄｅｃｏｄｅｒ）１０９は、Ａ／Ｄ変換器１０６から入力したデジタル画像データについて、色差（Ｃｂ、Ｃｒ）と輝度（Ｙ）に分けて各種処理、補正および画像圧縮／伸長のためのデータ処理を施す。画像圧縮・伸長部は、例えばＪＰＥＧ準拠の画像圧縮・伸長の一過程である直交変換、並びに、ＪＰＥＧ準拠の画像圧縮・伸長の一過程であるハフマン符号化・復号化等を行う。
さらに、ＭＣＣ（Ｍｅｍｏｒｙ  Ｃａｒｄ  Ｃｏｎｔｒｏｌｌｅｒ）１１０は、圧縮処理された画像を一旦蓄えてＰＣカードインタフェース１１２を介してＰＣカード１５０への記録、あるいはＰＣカード１５０からの読み出しを行う。
【０００７】
ＣＰＵ１２１は、ＲＯＭに格納されたプログラムに従ってＲＡＭを作業領域として使用し、操作部１２３からの指示、あるいは図示しないリモコン等の外部動作指示に従い、上記デジタルカメラ内部の全動作を制御する。具体的には、ＣＰＵ１２１は、撮像動作、自動露出（ＡＥ）動作、自動ホワイトバランス（ＡＷＢ）調整動作や、ＡＦ動作等の制御を行う。
また、カメラ電源はバッテリ１２８、例えば、ＮｉＣｄ、ニッケル水素、リチウム電池等から、ＤＣ−ＤＣコンバータ１２９に入力され、当該デジタルカメラ内部に供給される。
表示部１２２は、ＬＣＤ、ＬＥＤ、ＥＬ等で実現されており、撮影したデジタル画像データや、伸長処理された記録画像データ等の表示を行う。操作部１２３は、機能選択、撮影指示、およびその他の各種設定を外部から行うためのボタンを備えている。ＥＥＰＲＯＭ１３０には、ＣＰＵ１２１がデジタルカメラの動作を制御する際に使用する調整データ等が書き込まれている。
上記したデジタルカメラ１００（ＣＰＵ１２１）は、被写体を撮像して得られる画像データをＰＣカード１５０に記録する記録モードと、ＰＣカード１５０に記録された画像データを表示する表示モード等を備えている。ＡＦセンサ１４０は、オートフォーカス装置を実現する
【０００８】
図２はモニター（表示部１２２）上において単一画像内に縮小画像が並べられた表示例を示す図、図３は図２のａ部分の拡大図、図４は図３に示す拡大図のさらに一部の拡大図、図５は図２のｂ部分の拡大図、図６は図５に示す拡大図のさらに一部の拡大図、図７は図２のａ部分を拡大し９等分した状態を示す図、図８は操作部の十字キーを示す図、図９は図７のｂ部分の拡大図である。これらの図を参照しながら以下、各実施例を説明する。
（第１の実施例）
シャッターが押されると、被写体画像信号は、ＣＣＤ１０３、ＣＤＳ回路１０４、ＡＧＣアンプ１０５、Ａ／Ｄ変換器１０６により、デジタル画像データに変換される、そして、ＩＰＰ１０７により、各種補正処理が行われ、また、ＩＰＰ１０７からの信号より、ＣＰＵ１２１にてＡＥ、ＡＦ、ＡＷＢ処理が行われ、被写体画像データは、縮小してＤＲＡＭ１１１に格納される。
ＤＲＡＭ１１１に格納するとき単一の静止画の一部として格納する。そして上記処理を繰り返し単一の静止画に記録する枚数の縮小画像がＤＲＡＭ１１１に格納されたらその単一の静止画データは、ＤＣＴ１０８、コーダー１０９により圧縮画像データとされ、ＭＣＣ１１０に格納される。この圧縮画像データの格納場所は、ＤＲＡＭ１１１でもかまわない。この圧縮画像データは、ＰＣカード１５０へ記録される。
そして上記記録された画像を再生する。再生したときモニター上では、図２のように単一画像内に縮小画像が並べられて表示される。そして、例えば拡大キーが押されると、縮小画像の１つが拡大されて表示される（図３）。そして前記縮小画像の１つが拡大されて表示されているときに、拡大キーが押されると表示画像の一部が図４に示すように拡大表示される。
（第２の実施例）
縮小画像の１つが拡大されて表示されているとき（図３）次の画像表示操作が行われた場合、次の縮小画像の１つの拡大表示になる（図５）図３の画像表示中に拡大操作して、図３の一部を拡大表示している状態（図４）で次の画像表示操作行われた場合、次の画像の図４と同じ拡大位置、拡大率の画像を表示する（図６）。
【０００９】
（第３の実施例）
図７の画面表示のとき拡大操作された場合、図７を９等分した１つが拡大表示される。例えば図７のａ部を拡大すれば、図４の表示になる。
（第４の実施例）
図４のように縮小画像の１部を拡大表示しているとき、図８に示す上下キー２００が押されると次の画像もしくは前の画像が表示される（図２のａ部の拡大表示時（図４）、下キー操作で図２のｂ部の拡大表示（図６）となる）。
また図４のように縮小画像の１部を拡大表示しているとき、図８に示す左右キー２０１が押されると次の拡大位置が拡大表示される（図７のａ部の拡大表示時（図４）、右キー操作で図７のｂ部の拡大表示（図９）となる）。上下キーによる動作、左右キーによる動作が逆でもかまわない。
【００１０】
【発明の効果】
以上説明したように、請求項１の画像処理装置においては、撮像装置での連写にて得られた複数の静止画をそれぞれ縮小して作成された複数の縮小画を単一の静止画に合成して得られた単一の静止画用画像ファイルを受けて、該静止画用画像ファイルより複数の縮小画を１枚ずつ切り出して連写時の撮影順にモニターに表示させたとき、被写体画像を拡大して表示するので、ピントやブレを容易に確認することができる。
請求項２の画像処理装置においては、拡大表示中、次もしくは前の画像を表示させたとき、前に拡大表示していた同じ位置、拡大率での拡大表示になる。従って再度拡大操作をすることなく、短時間で拡大表示することができるので、容易に拡大表示の確認ができ、拡大までの時間も短縮できるので電力消費も低減させることができる。
請求項３の画像処理装置においては、拡大画像はモニターに表示している画像を等分に分割した画像の１つであるので、少ない操作で拡大画像の全てを確認することができる。
請求項４の画像処理装置においては、次もしくは前の画像を表示させる操作と拡大位置を選択する操作を十字に配置されたキーで行うので、特別なキーを設ける必要がなく、かつ操作性にも優れている。
【図面の簡単な説明】
【図１】本発明の実施の形態に係るオートフォーカス装置を適用したデジタルカメラの構成図。
【図２】モニター上において単一画像内に縮小画像が並べられた表示例を示す図。
【図３】図２のａ部分の拡大図。
【図４】図３に示す拡大図のさらに一部の拡大図。
【図５】図２のｂ部分の拡大図。
【図６】図５に示す拡大図のさらに一部の拡大図。
【図７】図２のａ部分を拡大し９等分した状態を示す図。
【図８】操作部の十字キーを示す図。
【図９】図７のｂ部分の拡大図。
【符号の説明】
１２１  ＣＰＵ（機能実現手段）
【図１】
2004350146.tif 000003
【図２】
2004350146.tif 000004
【図３】
2004350146.tif 000005
【図４】
2004350146.tif 000006
【図５】
2004350146.tif 000007
【図６】
2004350146.tif 000008
【図７】
2004350146.tif 000009
【図８】
2004350146.tif 000010
【図９】
2004350146.tif 000011